(57)【要約】      （修正有）【課題】簡易な構成で軒先の傾斜に応じて傾斜角度が調整可能且つ時間が経過しても所望の傾斜角度を維持できる軒樋支持具を提供する。【解決手段】軒先に固定される取付部材１０と、取付部材１０に傾斜角度が調整可能に連結された、軒樋を保持する樋支持具本体２０とを備えた軒樋支持具１において、取付部材１０は、取付板部１１と、取付板部から前方に突出する取付本体部１２とを備えており、取付本体部１２は、前方に突出する形状に形成され、その前面１３には、上下方向に間隔を空けて形成された複数の係合凹部１３ａを有しており、樋支持具本体２０は、弾性変形する線状材で折曲形成され、係合凹部１３ａのいずれかに係合される。【選択図】図１
2020114981.tif 000002
【特許請求の範囲】
【請求項１】
軒先に固定される取付部材と、該取付部材に傾斜角度が調整可能に連結された、軒樋を保持する樋支持具本体とを備えた軒樋支持具において、
前記取付部材は、取付板部と、該取付板部から前方に突出する取付本体部とを備えており、
該取付本体部は、前方に突出する形状に形成され、その前面には、上下方向に間隔を空けて形成された複数の係合凹部を有しており、
前記樋支持具本体は、弾性変形する線状材で折曲形成され、前記係合凹部のいずれかに係合されることを特徴とする軒樋支持具。
【請求項２】
請求項１において、
前記取付本体部は、その前面に上下方向に延びる長孔を有し、前記係合凹部は、前記長孔の幅方向外側に開口して形成され、前記樋支持具本体は、前記長孔にスライド移動可能に連結されることを特徴とする軒樋支持具。
【請求項３】
請求項２において、
前記樋支持具本体は、後端部が幅方向外側に向けて折曲され、前記取付本体部は、前記後端部が軸支される連結孔を有していることを特徴とする軒樋支持具。
【発明の詳細な説明】
【技術分野】
【０００１】
本発明は、軒先に固定される取付部材と、取付部材に傾斜角度が調整可能に連結された、軒樋を保持する樋支持具本体とを備えた軒樋支持具に関する。
【背景技術】
【０００２】
従来より、軒先の取付面の傾斜に応じて軒樋を略水平に保持するために、傾斜角度を調整可能な軒樋支持具が提案されている（たとえば、特許文献１）。特許文献１の軒樋支持具は、軒先に固定された取付部材の長孔にスライド移動可能に樋支持具本体を連結し、所望の位置で固定ネジで締め付けて固定することにより、軒先の傾斜角度に応じて軒樋を略水平に保持することができる。
【先行技術文献】
【特許文献】
【０００３】
【特許文献１】実開平６−２０６８８号公報
【発明の概要】
【発明が解決しようとする課題】
【０００４】
しかしながら、特許文献１の軒樋支持具は、固定ネジで樋支持具本体を固定するため、時間が経つにつれて固定ネジが緩んで所望の角度を維持できないおそれがある。また、固定ネジが必要となるので、軒樋支持具の部品点数が増えて構造が複雑になってしまう。
【０００５】
本発明は、このような事情を考慮して提案されたもので、その目的は、簡易な構成で軒先の傾斜に応じて傾斜角度が調整可能且つ時間が経過しても所望の傾斜角度を維持できる軒樋支持具を提供することにある。
【課題を解決するための手段】
【０００６】
上記目的を達成するために、請求項１に記載の軒樋支持具は、軒先に固定される取付部材と、該取付部材に傾斜角度が調整可能に連結された、軒樋を保持する樋支持具本体とを備えた軒樋支持具において、前記取付部材は、取付板部と、該取付板部から前方に突出する取付本体部とを備えており、該取付本体部は、前方に突出する形状に形成され、その前面には、上下方向に間隔を空けて形成された複数の係合凹部を有しており、前記樋支持具本体は、弾性変形する線状材で折曲形成され、前記係合凹部のいずれかに係合されることを特徴とする。
【０００７】
請求項２に記載の軒樋支持具は、前記取付本体部は、その前面に上下方向に延びる長孔を有し、前記係合凹部は、前記長孔の幅方向外側に開口して形成され、前記樋支持具本体は、前記長孔にスライド移動可能に連結されることを特徴とする。
【０００８】
請求項３に記載の軒樋支持具は、前記樋支持具本体は、後端部が幅方向外側に向けて折曲され、前記取付本体部は、前記後端部が軸支される連結孔を有していることを特徴とする。
【発明の効果】
【０００９】
請求項１に記載の軒樋支持具は、上述した構成とされているため、簡易な構成で軒先の傾斜に応じて傾斜角度を調整することができる。また、線状材で樋支持具本体が形成されているため、コストを安く抑えることができる。さらに、時間が経過しても樋支持具本体の傾斜角度を維持できる。
【００１０】
請求項２に記載の軒樋支持具は、上述した構成とされているため、長孔に沿って樋支持具本体をスライド移動させることができる。
【００１１】
請求項３に記載の軒樋支持具は、上述した構成とされているため、樋支持具本体を取付本体部の連結孔に回動可能に連結でき、安定した状態でスライド移動させることができる。
【図面の簡単な説明】
【００１２】
【図１】本発明の第１実施形態に係る軒樋支持具の斜視図である。
【図２】（ａ）は、第１実施形態に係る軒樋支持具の模式平面図、（ｂ）は（ａ）の樋支持具本体を変形させた状態の模式平面図である。
【図３】（ａ）は、軒先に固定された状態の第１実施形態に係る軒樋支持具の模式側面図、（ｂ）は傾斜した軒先に固定された状態の軒樋支持具の模式側面図である。
【図４】（ａ）は、図２（ａ）のＸ−Ｘ線矢視断面図に相当する第２実施形態に係る軒樋支持具の模式断面図、（ｂ）は、第３実施形態に係る軒樋支持具の斜視図である。
【図５】（ａ）は、第４実施形態に係る軒樋支持具の模式平面図、（ｂ）は、（ａ）のＹ−Ｙ線矢視模式断面図である。
【発明を実施するための形態】
【００１３】
以下に、本発明の実施の形態について図面に基づいて説明する。まず、図１〜図３に示した第１実施形態の軒樋支持具１の基本構成について説明する。なお、軒先に軒樋支持具を取り付けた状態を基準にして、前後方向（長手方向）、幅方向（軒先に対する見付の方向と一致する方向）、上下方向等を規定する。また、一部の図では、他図に付している詳細な符号の一部を省略している。
【００１４】
図１〜図３に示した軒樋支持具１は、軒先３に固定される取付部材１０と、取付部材１０に傾斜角度が調整可能に連結された、軒樋４を保持する樋支持具本体２０とを備えている。取付部材１０は、取付板部１１と、取付板部１１から前方に突出する取付本体部１２とを備えている。取付本体部１２は、前方に突出する形状に形成され、その前面１３には、上下方向に間隔を空けて形成された複数の係合凹部１３ａを有している。樋支持具本体２０は、弾性変形する線状材で折曲形成され、係合凹部１３ａのいずれかに係合される。以下、詳しく説明する。
【００１５】
軒樋支持具１は、軒先３に固定される受け具であり、軒先３に取付部材１０を介して固定される。取付部材１０は、軒先３に固定させるための固着具が挿通される複数の挿通孔１１ｂが開設されたステンレス等の板状の金属材料からなる取付板部１１と、取付板部１１の前面１１ａから前方に突出する曲がり形状に形成されたステンレス等の金属材料からなる取付本体部１２とにより構成される。
【００１６】
取付本体部１２は、下方が開口して形成されている。取付本体部１２の前面１３は、上方側よりも下方側が前方に突出し前方の斜め上方を向く円弧状の湾曲面に形成され、上下方向に延びる長孔１３ｂを有している。図１に示すように、本実施形態では、長孔１３ｂは、前面１３の中央部１３ｃを挟んで幅方向に２つ形成され、それぞれの下端が開口して凹状に形成されている。
【００１７】
係合凹部１３ａは、長孔１３ｂの幅方向外側に開口して複数形成されている。詳しく説明すると、本実施形態では、図１において、右側の長孔１３ｂの幅方向外側となる右側に、左側の長孔１３ｂの幅方向外側となる左側に、それぞれ開口して係合凹部１３ａが間隔を空けて上下方向に連続して５つずつ形成されている。つまり本実施形態では、樋支持具本体２０は、取付本体部１２に対して５段階の角度調整が可能となっている。係合凹部１３ａは、後述する樋支持具本体２０の線状部２２が係合する大きさに形成されており、係合凹部１３ａの幅寸法及び高さ寸法は、後述する樋支持具本体２０を構成する線状材の径と略同じか若干大きく形成される。左右の係合凹部１３ａ，１３ａは、弾性変形していない状態の樋支持具本体２０の線状部２２，２２が係合する間隔に形成されている。なお、線状部２２，２２が幅方向外側に弾性付勢して係合凹部１３ａ、１３ａに強固に係合される態様でもよい。また、一番下方にある係合凹部１３ａ，１３ａが、軒先３の取付面３ａが垂直なときに用いられ、取付面３ａの傾斜角度に合わせて、上方の係合凹部１３ａ，１３ａが用いられる。なお、各係合凹部１３ａは、側面視において、後述する側面１４，１４の連結孔１４ａ，１４ａに向かって傾斜して開口されている。
【００１８】
取付本体部１２の側面１４，１４は扇状に形成され、後述する樋支持具本体２０の後端部２３が軸支される連結孔１４ａ，１４ａが貫通して形成されている。連結孔１４ａ，１４ａは、幅方向において、互いに対向する位置に形成されている。
【００１９】
樋支持具本体２０は、弾性変形する金属製の１本の線状材により折曲形成されている。樋支持具本体２０は、前方に軒樋４を受け支持する受け部２１，２１と、受け部２１，２１の後ろ側に直線状の線状部２２，２２と、線状部２２，２２の後ろ側に幅方向外側に向けて折曲された後端部２３，２３とが一体に構成されている。受け部２１，２１は互いに略平行に形成され、同様に線状部２２，２２も互いに略平行に形成されている。
【００２０】
上述のようにして構成された取付部材１０と樋支持具本体２０とを連結させる。取付本体部１２の下方から樋支持具本体２０を適宜幅方向内側に変形させながら挿し入れ、樋支持具本体２０の後端部２３，２３が連結孔１４ａ，１４ａに挿入され、線状部２２，２２が係合凹部１３ａ，１３ａに係合される。
【００２１】
図２（ａ）は、取付部材１０と樋支持具本体２０とが連結された状態の軒樋支持具１の平面図である。図に示されているように、樋支持具本体２０の線状部２２，２２は、左右の係合凹部１３ａ，１３ａに係合されている。また、樋支持具本体２０は、後端部２３，２３が連結孔１４ａ，１４ａに連結されることによって回動可能に軸支されている。後端部２３，２３はその先端部２３ａ，２３ａが側面１４，１４の外側に露出するような寸法で形成されている。
【００２２】
図２（ｂ）の太矢印に示すように幅方向内側の力が線状部２２，２２に加えられると、樋支持具本体２０は変形して係合凹部１３ａ，１３ａとの係合状態が解除される。この解除状態が維持されていれば、樋支持具本体２０は、長孔１３ｂ，１３ｂに沿って上下方向にスライド移動が可能となる。そして、所望の位置で線状部２２，２２に加えられている幅方向内側の力が解除されと、線状部２２，２２は幅方向内側の力が加えられていない状態に弾性復帰して係合凹部１３ａ，１３ａに係合される。
【００２３】
後端部２３，２３は、線状部２２，２２が幅方向内側に変形したときに、連結孔１４ａ，１４ａから脱落しないような長さで形成されている。また、取付本体部１２の前面１３の中央部１３ｃによって線状部２２，２２が必要以上に幅方向内側に変形しにくくなっているので、後端部２３，２３が連結孔１４ａ，１４ａから脱落しにくくなっている。さらに、樋支持具本体２０は、中央部１３ｃに沿って安定してスライド移動させることができる。
【００２４】
図３（ａ）は、垂直な取付面３ａを有する軒先３に固定された軒樋支持具１の側面図である。取付板部１１の挿通孔１１ｂに挿通した固着具（不図示）によって取付部材１０は、軒先３に固定されている。線状部２２，２２が一番下の係合凹部１３ａ，１３ａに係合されることによって、軒樋４は樋支持具本体２０の受け部２１によって略水平に保持される。
【００２５】
図３（ｂ）は、下方側よりも上方側が前方に突出し前方の斜め下方を向く傾斜した取付面３ａを有する軒先３に固定された軒樋支持具１の側面図である。取付部材１０は、傾斜した状態で取付面３ａに固着具（不図示）によって固定される。図３（ｂ）では、線状部２２，２２が、下から３番目の係合凹部１３ａ，１３ａに係合されることによって、軒樋４は樋支持具本体２０の受け部２１によって略水平に保持される。図３（ａ）に示す扇状の側面１４，１４を、取付面３ａの傾斜に合わせて、図３（ａ）の状態から下方に回転した状態に取り付けることで、図３（ｂ）に示すような下方側よりも上方側が前方に突出し前方の斜め下方を向く傾斜した取付面３ａを有する軒先３に対して、軒樋４を略水平に保持することが可能となっている。なお、線状部２２，２２が係合される係合凹部１３ａ，１３ａは、軒先３の取付面３ａの傾斜角度に合わせて適宜選択される。また、水勾配等のために軒樋４は、受け部２１に略水平に保持されていなくてもよい。
【００２６】
本実施形態では、樋支持具本体２０は、係合凹部１３ａにより５段階の角度調整が可能であるが、これに限定されることはなく、係合凹部１３ａを少なくしてもよい。また係合凹部１３ａをより多く形成し、樋支持具本体２０がより細かい角度調整ができる態様であってもよい。係合凹部１３ａは、線状部２２が係合する大きさに形成されればいいので、長孔１３ｂの幅方向外側に開口して間隔を空けて上下方向に多くの係合凹部１３ａを形成することができる。さらに一番下方にある係合凹部１３ａ，１３ａが、軒先３の取付面３ａが垂直なときに用いられることに限定されることはない。そして、取付本体部１２の前面１３は、上方側よりも下方側が前方に突出し前方の斜め上方を向く円弧状の湾曲面に形成されることに限定されることはなく、例えば、上方側よりも下方側が前方に突出し前方の斜め上方を向く直線状の傾斜面であってもよい。また、前面１３に中央部１３ｃを形成せずに１つの長孔１３ｂが形成される構成であってもよい。さらに、樋支持具本体２０の形状は図示されているものに限定されることはない。受け部２１の形状は、種々の軒樋の形状に合わせて形成されればよい。
【００２７】
次に、他の実施形態における軒樋支持具について、図４、図５を参照して説明する。なお、第１実施形態と共通する部分には、可能な限り同一の符号を付し、その構成及び作用・効果等の説明は省略する。
【００２８】
図４（ａ）は、図２（ａ）の軒樋支持具１のＸ−Ｘ線矢視断面図に相当する第２実施形態の軒樋支持具１の模式断面図である。第１実施形態の軒樋支持具１とは異なり、取付本体部１２の側面１４に連結孔１４ａが形成されておらず、側面１４，１４を接続する丸棒体の軸部１４ｂが形成されている。また、各係合凹部１３ａは、側面視において、軸部１４ｂに向かって傾斜して開口されている。そして、樋支持具本体２０は、後端部２３が軸部１４ｂに巻きつくように形成されている。これにより、樋支持具本体２０は、軸部１４ｂを軸にして回動できる。取付部材１０、樋支持具本体２０のその他の構成は、第１実施形態と略同じ構成である。第１実施形態の軒樋支持具１と同様に、線状部２２，２２に幅方向内側の力が加えられることで、線状部２２，２２と係合凹部１３ａ，１３ａとの係合状態が解除され、樋支持具本体２０の角度調整が可能となる。なお、本実施形態では、軸部１４ｂに後端部２３が巻きついているので、樋支持具本体２０が取付部材１０から脱落するおそれが少ない。そのため、取付本体部１２の前面１３に中央部１３ｃが形成されていなくてもよい。
【００２９】
図４（ｂ）は、第３実施形態の軒樋支持具１の斜視図である。第１実施形態の軒樋支持具１と異なる点としては、取付本体部１２の側面１４に連結孔１４ａが形成されていない点である。また、前面１３には、長孔１３ｂが形成されておらず、幅寸法ａの大きさで開口した係合凹部１３ａが、上下方向に間隔を空けて連続して形成されている。樋支持具本体２０は、線状部２２の後方にＵ字状の係合部２４が形成されている。係合部２４は線状部２２から幅方向内側に向けて折曲した前片部２４ａと、前片部２４ａから後方に向けて折曲した接続部２４ｂと、接続部２４ｂの後端から幅方向外側に向けて折曲した後片部２４ｃにより形成されている。接続部２４ｂ，２４ｂ間の幅寸法ｂは、係合凹部１３ａの幅寸法ａと略同じである。
【００３０】
次に取付部材１０に樋支持具本体２０を連結させる方法について説明する。
まず、後片部２４ｃ，２４ｃの先端部２４ｃａ，２４ｃａ間の幅寸法ｃが係合凹部１３ａの幅寸法ａよりも小さくなるまで線状部２２，２２に幅方向内側に力が加えられる。そして、この状態が維持されたまま、所望の位置の係合凹部１３ａの前方から係合部２４、２４が挿し込まれる。後片部２４ｃ、２４ｃが、挿し込んでいる係合凹部１３ａ，１３ａよりも後方の位置まで挿し込まれる。この状態で樋支持具本体２０に加えられている幅方向内側の力が解除されると、樋支持具本体２０は幅方向内側の力が加えられていない状態に弾性復帰し、係合部２４の前片部２４ａと後片部２４ｃとが、取付本体部１２の前面１３の表面と裏面とを挟み込む。これにより、樋支持具本体２０は、取付部材１０の係合凹部１３ａに連結される。接続部２４ｂ，２４ｂ間の幅寸法ｂは、係合凹部１３ａの幅寸法ａと略同じであるので、樋支持具本体２０は、左右にずれにくくなっている。また、係合部２４の前片部２４ａと後片部２４ｃとが、取付本体部１２の前面１３の表面と裏面とを挟み込むので、樋支持具本体２０は前後にずれにくくなっている。
【００３１】
図５（ａ）は、第４実施形態の軒樋支持具１の模式平面図であり、図５（ｂ）は、（ａ）のＹ−Ｙ線矢視模式断面図である。第１実施形態の軒樋支持具１と異なる点は、取付本体部１２の前面１３の中央部１３ｃと、側面１４の連結孔１４ａとが形成されておらず、第２実施形態と同様に側面１４，１４を接続する丸棒体の軸部１４ｂが形成されている点である。また、前面１３の中央部１３ｃが形成されていないので、長孔１３ｂは１つ形成されており、その幅方向外側に係合凹部１３ａが間隔を空けて上下方向に連続して形成されている。
【００３２】
本実施形態の樋支持具本体２０は、軒樋４を吊り支持する吊具であり、受け具である第１実施形態の樋支持具本体２０と異なる。樋支持具本体２０は、軒樋４の前耳４ａを保持する前耳保持部２５と、線状部２２を介して軒樋４の後耳４ｂを保持する後耳保持部２６とが形成されている。図５（ｂ）に示すように、後耳保持部２６の上辺部２６ａから後方に延びた後端部２３が、軸部１４ｂに巻きついて前方に延びて後耳保持部２６の下片部２６ｂが形成される。これにより、取付部材１０と樋支持具本体２０とが連結される。樋支持具本体２０に幅方向内側の力が加えられていない状態のとき、後耳保持部２６の上辺部２６ａは係合凹部１３ａに係合され、下片部２６ｂは、長孔１３ｂ内か、取付本体部１２の下方に位置する。樋支持具本体２０に幅方向内側の力が加えられることで、後耳保持部２６の上辺部２６ａ，２６ａと、係合凹部１３ａ，１３ａとの係合状態が解除され、樋支持具本体２０の角度調整が可能となる。図５（ａ）に示すように、本実施形態では第１実施形態のように前面１３に中央部１３ｃが形成されていないので、上辺部２６ａよりも幅方向内側に形成されている下片部２６ｂが他の部材に接触して樋支持具本体２０の変形が阻止されることなく、樋支持具本体２０の角度調整が行える。なお、樋支持具本体２０に幅方向内側の力が加えられたときに樋支持具本体２０の変形が阻止されない寸法で、前面１３に中央部１３ｃが形成されてもよい。
【００３３】
次に、本実施形態の軒樋支持具１に軒樋４を吊り支持させる方法について説明する。軒樋支持具１の前耳保持部２５に軒樋４の前耳４ａを係合させ、前耳保持部２５を軸にして軒樋４を後方に回動させる。そして、軒樋４を持ち上げるようにして、後耳４ｂにより下片部２６ｂを弾性変形させる。これにより、後耳４ｂは、後耳保持部２６内に到達する。そして、下片部２６ｂが弾性変形していない状態に弾性復帰し、後耳４ｂは出口を塞いだ状態で後耳保持部２６に収容される。軒樋４を押し込む力が解除されると、軒樋４は自然落下し、下片部２６ｂの先端部２６ｂａに後耳４ｂが載置され、軒樋４は所定の位置に装着され、軒樋支持具１に吊り支持された状態となる。
【００３４】
本実施形態では、樋支持具本体２０に幅方向内側の力が加えられていない初期状態のとき、後耳保持部２６の上辺部２６ａは係合凹部１３ａに係合され、下片部２６ｂは、長孔１３ｂ内か、取付本体部１２の下方に位置する態様だが、初期状態のとき、後耳保持部２６の上辺部２６ａ，下片部２６ｂが、それぞれ別々の係合凹部１３ａに係合される態様であってもよい。
【００３５】
軒樋支持具１は、上述した各実施形態に限定されることはなく、また、図面で示した形状に限定されることはない。例えば、図面では、樋支持具本体を構成する線状材の径が、取付板部や取付本体部の厚みより大きく図示されているが、線状材の径は、取付板部や取付本体部の厚みと略同じでもよく、小さくてもよい。また、樋支持具本体２０は、１本の線状材で形成されることに限定されることはなく、複数の線状材を組み合わせて形成されてもよく、線状材の材質も金属材料に限定されることはない。取付部材１０と樋支持具本体とを連結させる構成も、上述したものに限定されることはない。
【符号の説明】
【００３６】
１          軒樋支持具
３          軒先
４          軒樋
１０        取付部材
１１        取付板部
１２        取付本体部
１３        前面
１３ａ      係合凹部
１３ｂ      長孔
１４ａ      連結孔
２０        樋支持具本体
２３        後端部
【図１】
2020114981.tif 000003
【図２】
2020114981.tif 000004
【図３】
2020114981.tif 000005
【図４】
2020114981.tif 000006
【図５】
2020114981.tif 000007